【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
第１端と第２端とを有し、直径を有する軸部を備える留め具であって、
前記軸部は、
前記第１端を始点とし、ドリル部を備えるパイロット領域と、
前記ドリル部のねじれ方向と同一のねじれ方向のねじれを有しており、前記パイロット領域と隣接する第１ねじれ領域と、
前記第１ねじれ領域のねじれ方向と反対のねじれ方向のねじれを有しており、前記第１ねじれ領域と隣接する逆ねじれ領域と、
第２端に設けられた頭部と、を備える
留め具。
【請求項２】
前記パイロット領域は、切削端と前記ドリル部を備える
請求項１に記載の留め具。
【請求項３】
前記切削端はＴＥＫ端を備える
請求項２に記載の留め具。
【請求項４】
前記切削端は尖端を備え、
前記尖端は、１００〜１２０度の間の角度で接合する２つの切削エッジによって形成されている
請求項２又は３に記載の留め具。
【請求項５】
前記切削端は直径を有し、
前記ドリル部は前記切削端の前記直径よりも小さい直径を有する
請求項２〜４のいずれか一項に記載の留め具。
【請求項６】
前記パイロット領域の前記ドリル部は、前記第１ねじれ領域における前記ねじれのピッチよりも大きいピッチを有する螺旋状のねじれを有する
請求項２〜５のいずれか一項に記載の留め具。
【請求項７】
前記第１ねじれ領域におけるねじれは、およそ１．５：１から１．２：１の範囲内となる程度に、前記切削端の直径よりも大きい高さを有する螺旋状のねじれを備える
請求項２〜６のいずれか一項に記載の留め具。
【請求項８】
前記逆ねじれ領域に、前記第１ねじれ領域におけるねじれと同じ方向のねじれを有する螺旋ねじ山をさらに備える
請求項１〜７のいずれか一項に記載の留め具。
【請求項９】
前記螺旋ねじ山は、前記逆ねじれ領域における前記ねじれの高さよりも小さい高さを有する
請求項８に記載の留め具。
【請求項１０】
前記逆ねじれ領域における前記ねじれは、およそ１．５５：１から１．３：１の範囲内となる程度に、前記第１ねじれ領域中の前記軸部の谷の径よりも大きな高さを備える
請求項１〜９のいずれか一項に記載の留め具。
【請求項１１】
前記パイロット領域は、およそ２．５：１となる程度の前記逆ねじれ領域の長さよりも大きい長さを有する
請求項１〜１０のいずれか一項に記載の留め具。
【請求項１２】
前記第１ねじれ領域は、およそ１．８：１となる程度の前記逆ねじれ領域の長さよりも大きい長さを有する
請求項１〜１１のいずれか一項に記載の留め具。
【請求項１３】
前記切削端は、前記パイロット領域の長さのおよそ２０〜３０％である長さを有する
請求項２〜１２のいずれか一項に記載の留め具。
【請求項１４】
前記逆ねじれ領域における前記ねじれのピッチは、およそ１．７：１から２：１の範囲内となる程度に、前記第１ねじれ領域における前記ねじれのピッチよりも大きい
請求項１〜１３のいずれか一項に記載の留め具。
【請求項１５】
第１端と、第２端に設けられた頭部とを有する軸部を備える留め具であって、
前記軸部は、
前記第１端に隣接する切削端と、前記切削端の隣に配置されたドリル部とを備えるパイロット領域であって、前記切削端は前記ドリル部の直径よりも大きい直径を有し、前記ドリル部は前記ドリル部においてねじれを有する溝を備える、パイロット領域と、
前記溝のねじれ方向と同一のねじれ方向の螺旋状のねじれを有しており、前記パイロット領域に隣接する第１ねじれ領域と、
前記パイロット領域に隣接する逆ねじれ領域と、を備え、
前記螺旋状のねじれは、前記ドリル部の前記直径よりも大きい直径を有し、
前記逆ねじれ領域は、前記第１ねじれ領域における前記ねじれと反対方向のねじれを有しており、
前記逆ねじれ領域における前記ねじれは、前記螺旋状のねじれの前記直径よりも大きい直径を有し、
前記頭部は、頂部と下部を有し、
前記頂部は、窪みを有する
留め具。
【請求項１６】
前記溝は、前記第１ねじれ領域における前記ねじれのピッチよりも大きいピッチを有する螺旋状のねじれを備える
請求項１５に記載の留め具。
【請求項１７】
前記第１ねじれ領域における前記螺旋状のねじれは、およそ１．５：１から１．２：１の範囲内となる程度に、前記切削端の前記直径よりも大きい高さを有する
請求項１５又は１６に記載の留め具。
【請求項１８】
前記逆ねじれ領域に、前記第１ねじれ領域における前記ねじれと同一方向のねじれを有する螺旋ねじ山をさらに備え、
前記螺旋ねじ山は、前記逆ねじれ領域における前記ねじれの高さよりも小さい高さを有する
請求項１５〜１７のいずれか一項に記載の留め具。
【請求項１９】
第１端と第２端とを有する留め具であって、
前記第１端に隣接する切削端と、前記切削端の隣に配置されたドリル部と、を備えるパイロット領域であって、前記切削端は前記ドリル部の直径よりも大きい直径を有し、前記ドリル部は前記ドリル部においてねじれを有する溝を備える、パイロット領域と、
前記溝のねじれ方向と同一のねじれ方向の螺旋状のねじれを有しており、前記パイロット領域に隣接する第１ねじれ領域と、を備え、
前記螺旋状のねじれは、前記ドリル部の前記直径よりも大きい直径を有する
留め具。
【請求項２０】
前記パイロット領域に隣接する逆ねじれ領域をさらに備え、
前記逆ねじれ領域は、前記第１ねじれ領域における前記ねじれと反対方向のねじれを有し、
前記逆ねじれ領域における前記ねじれは、前記螺旋状のねじれの前記直径よりも大きい直径を有する
請求項１９に記載の留め具。
【手続補正２】
【補正対象書類名】明細書
【補正対象項目名】００２７
【補正方法】変更
【補正の内容】
【００２７】
発明特定事項を、特に構造的な特徴及び／又は方法論的な行為について言語で説明したが、添付のクレームにおいて定義された発明特定事項は、上記の特定の特徴や行為に必ずしも限定されないことが理解される。むしろ、上記した特定の特徴や行為は、クレームを実施する例として開示されるものである。
以下の項目は、国際出願時の請求の範囲に記載の要素である。
（項目１）
第１端と第２端とを有し、直径を有する軸部を備える留め具であって、
前記軸部は、
前記第１端を始点とし、ドリル部を備えるパイロット領域と、
前記ドリル部のねじれ方向と同一のねじれ方向のねじれを有しており、前記パイロット領域と隣接する第１ねじれ領域と、
前記第１ねじれ領域のねじれ方向と反対のねじれ方向のねじれを有しており、前記第１ねじれ領域と隣接する逆ねじれ領域と、
第２端に設けられた頭部と、を備える
留め具。
（項目２）
前記パイロット領域は、切削端と前記ドリル部を備える
項目１に記載の留め具。
（項目３）
前記切削端はＴＥＫ端を備える
項目２に記載の留め具。
（項目４）
前記切削端は尖端を備え、
前記尖端は、１００〜１２０度の間の角度で接合する２つの切削エッジによって形成されている
項目３に記載の留め具。
（項目５）
前記切削端は直径を有し、
前記ドリル部は前記切削端の前記直径よりも小さい直径を有する
項目２に記載の留め具。
（項目６）
前記パイロット領域の前記ドリル部は、前記第１ねじれ領域における前記ねじれのピッチよりも大きいピッチを有する螺旋状のねじれを有する
項目２に記載の留め具。
（項目７）
前記第１ねじれ領域におけるねじれは、およそ１．５：１から１．２：１の範囲内となる程度に、前記切削端の直径よりも大きい高さを有する螺旋状のねじれを備える
項目５に記載の留め具。
（項目８）
前記逆ねじれ領域に、前記第１ねじれ領域におけるねじれと同じ方向のねじれを有する螺旋ねじ山をさらに備える
項目１に記載の留め具。
（項目９）
前記螺旋ねじ山は、前記逆ねじれ領域における前記ねじれの高さよりも小さい高さを有する
項目８に記載の留め具。
（項目１０）
前記逆ねじれ領域における前記ねじれは、およそ１．５５：１から１．３：１の範囲内となる程度に、前記第１ねじれ領域中の前記軸部の谷の径よりも大きな高さを備える
項目１に記載の留め具。
（項目１１）
前記パイロット領域は、およそ２．５：１となる程度の前記逆ねじれ領域の長さよりも大きい長さを有する
項目１に記載の留め具。
（項目１２）
前記第１ねじれ領域は、およそ１．８：１となる程度の前記逆ねじれ領域の長さよりも大きい長さを有する
項目１に記載の留め具。
（項目１３）
前記切削端は、前記パイロット領域の長さのおよそ２０〜３０％である長さを有する
項目２に記載の留め具。
（項目１４）
前記逆ねじれ領域における前記ねじれのピッチは、およそ１．７：１から２：１の範囲内となる程度に、前記第１ねじれ領域における前記ねじれのピッチよりも大きい
項目１に記載の留め具。
（項目１５）
第１端と、第２端に設けられた頭部とを有する軸部を備える留め具であって、
前記軸部は、
前記第１端に隣接する切削端と、前記切削端の隣に配置されたドリル部とを備えるパイロット領域であって、前記切削端は前記ドリル部の直径よりも大きい直径を有し、前記ドリル部は前記ドリル部においてねじれを有する溝を備える、パイロット領域と、
前記溝のねじれ方向と同一のねじれ方向の螺旋状のねじれを有しており、前記パイロット領域に隣接する第１ねじれ領域と、
前記パイロット領域に隣接する逆ねじれ領域と、を備え、
前記螺旋状のねじれは、前記ドリル部の前記直径よりも大きい直径を有し、
前記逆ねじれ領域は、前記第１ねじれ領域における前記ねじれと反対方向のねじれを有しており、
前記逆ねじれ領域における前記ねじれは、前記螺旋状のねじれの前記直径よりも大きい直径を有し、
前記頭部は、頂部と下部を有し、
前記下部は、窪みを有する
留め具。
（項目１６）
前記溝は、前記第１ねじれ領域における前記ねじれのピッチよりも大きいピッチを有する螺旋状のねじれを備える
項目１５に記載の留め具。
（項目１７）
前記第１ねじれ領域における前記螺旋状のねじれは、およそ１．５：１から１．２：１の範囲内となる程度に、前記切削端の前記直径よりも大きい高さを有する
項目１６に記載の留め具。
（項目１８）
前記逆ねじれ領域に、前記第１ねじれ領域における前記ねじれと同一方向のねじれを有する螺旋ねじ山をさらに備え、
前記螺旋ねじ山は、前記逆ねじれ領域における前記ねじれの高さよりも小さい高さを有する
項目１７に記載の留め具。
（項目１９）
第１端と第２端とを有する留め具であって、
前記第１端に隣接する切削端と、前記切削端の隣に配置されたドリル部と、を備えるパイロット領域であって、前記切削端は前記ドリル部の直径よりも大きい直径を有し、前記ドリル部は前記ドリル部においてねじれを有する溝を備える、パイロット領域と、
前記溝のねじれ方向と同一のねじれ方向の螺旋状のねじれを有しており、前記パイロット領域に隣接する第１ねじれ領域と、を備え、
前記螺旋状のねじれは、前記ドリル部の前記直径よりも大きい直径を有する
留め具。
（項目２０）
前記パイロット領域に隣接する逆ねじれ領域をさらに備え、
前記逆ねじれ領域は、前記第１ねじれ領域における前記ねじれと反対方向のねじれを有し、
前記逆ねじれ領域における前記ねじれは、前記螺旋状のねじれの前記直径よりも大きい直径を有する
項目１９に記載の留め具。